(57)【要約】【課題】  画面の切り換え回数を少なくして、操作性を向上させること。【解決手段】  ＭＦＰは、第１〜第３のユーザＩ／Ｆのいずれかに入力された認証情報を認証する認証部５３と、入力された設定に従って処理を実行する処理実行部５７と、入力されたデータを認証されたユーザと関連付けた第１関連付データを記憶する第１関連付データ記憶部５６と、第１〜第３のユーザＩ／Ｆそれぞれに、入力されたデータに対して実行する処理を関連付けた第２関連付データを記憶する第２関連付データ記憶部６１と、認証部５３による認証に応じて、認証されたユーザと第１関連付データによって関連付けられたデータが記憶されている場合、第１〜第３のユーザＩ／Ｆのうち認証に用いられた認証情報が受け付けられたものと第２関連付データによって関連付けられた処理のための画面を決定する決定部５９と、を備える。【選択図】        図５
2010068242.tif 000002
【特許請求の範囲】
【請求項１】
ユーザによる指示を受け付けるための複数種類のユーザインターフェースと、
前記複数種類のユーザインターフェースのいずれか１つに入力された認証情報を受け付け、前記認証情報に基づいてユーザを認証する認証手段と、
前記複数種類のユーザインターフェースのいずれか１つに入力された設定に従って複数種類の処理の少なくとも１つを実行する処理実行手段と、
前記処理実行手段により実行される処理が、外部からデータが入力されるデータ入力処理の場合、前記入力されたデータを前記認証されたユーザのユーザ識別情報と関連付けた第１関連付データを記憶する第１関連付データ記憶手段と、
前記複数種類のユーザインターフェースそれぞれに、前記入力されたデータに対して実行する処理を関連付けた第２関連付データを記憶する第２関連付データ記憶手段と、
前記認証手段による認証に応じて、前記認証されたユーザのユーザ識別情報と前記第１関連付データによって関連付けられたデータが記憶されている場合、前記複数種類のユーザインターフェースのうち前記認証手段による認証に用いられた認証情報が受け付けられたユーザインターフェースと前記第２関連付データによって関連付けられた処理を前記処理実行手段に実行させるための設定を受け付けるための画面を決定する決定手段と、を備えた画像処理装置。
【請求項２】
前記第２関連付データ記憶手段は、複数の一連の処理を定義するワークフローを記憶するワークフロー記憶手段を含む、請求項１に記載の画像処理装置。
【請求項３】
前記複数種類のユーザインターフェースは、前記画面を表示する表示手段と、ユーザの操作を受け付けるための操作受付手段とを組み合わせた第１インターフェースと、
外部の装置と通信するための通信手段を含む第２インターフェースと、を含む請求項１に記載の画像処理装置。
【請求項４】
画像処理装置で実行される画面選択方法であって、
前記画像処理装置は、
ユーザによる指示を受け付けるための複数種類のユーザインターフェースを備え、
前記複数種類のユーザインターフェースのいずれか１つに入力された認証情報を受け付け、前記認証情報に基づいてユーザを認証するステップと、
前記複数種類のユーザインターフェースのいずれか１つに入力された設定に従って複数種類の処理の少なくとも１つを実行するステップと、
前記実行される処理が、外部からデータが入力されるデータ入力処理の場合、前記入力されたデータを識別するためのデータ識別情報を前記認証されたユーザのユーザ識別情報と関連付けた第１関連付データを記憶するステップと、
前記複数種類のユーザインターフェースそれぞれに、前記入力されたデータに対して実行する処理を関連付けた第２関連付データを記憶するステップと、
前記認証するステップにおける認証に応じて、前記認証されたユーザのユーザ識別情報と前記第１関連付データによって関連付けられたデータが記憶されている場合、前記複数種類のユーザインターフェースのうち前記認証情報が受け付けられたユーザインターフェースと前記第２関連付データによって関連付けられた処理を実行させるための設定を受け付けるための画面を決定するステップと、を含む画面選択方法。
【請求項５】
画像処理装置を制御するコンピュータで実行される画面選択プログラムであって、
前記画像処理装置は、ユーザによる指示を受け付けるための複数種類のユーザインターフェースを備え、
前記複数種類のユーザインターフェースのいずれか１つに入力された認証情報を受け付け、前記認証情報に基づいてユーザを認証するステップと、
前記複数種類のユーザインターフェースのいずれか１つに入力された設定に従って複数種類の処理の少なくとも１つを実行するステップと、
前記実行される処理が、外部からデータが入力されるデータ入力処理の場合、前記入力されたデータを識別するためのデータ識別情報を前記認証されたユーザのユーザ識別情報と関連付けた第１関連付データを記憶するステップと、
前記複数種類のユーザインターフェースそれぞれに、前記入力されたデータに対して実行する処理を関連付けた第２関連付データを記憶するステップと、
前記認証するステップにおける認証に応じて、前記認証されたユーザのユーザ識別情報と前記第１関連付データによって関連付けられたデータが記憶されている場合、前記複数種類のユーザインターフェースのうち前記認証情報が受け付けられたユーザインターフェースと前記第２関連付データによって関連付けられた処理を実行させるための設定を受け付けるための画面を決定するステップと、を前記コンピュータに実行させる画面選択プログラム。
【発明の詳細な説明】
【技術分野】
【０００１】
この発明は画像処理装置、画面選択方法および画面選択プログラムに関し、特に、複数のユーザインターフェースを備えた画像処理装置、その画像処理装置で実行される画面選択方法および画面選択プログラムに関する。
【背景技術】
【０００２】
近年、プリンタ、複写機およびファクシミリの機能を備えた複合機は、それが有する機能が多様化しており、操作が複雑になっている。このため、特開平１０−７９８１９号公報には、ログイン時の初期画面として、使用頻度の高いジョブのカテゴリーに対応するユーザインターフェース入出力画面を表示する複合機が記載されている。
【０００３】
しかしながら、複合機は、遠隔操作が可能となっており、複数種類のユーザインターフェースを有し、ユーザは、複数種類のユーザインターフェースを使い分けて、複合機に実行させる処理を決定している。特開平１０−７９８１９号公報に記載の複合機では、複数種類のユーザインターフェースを用いる場合であっても１つの初期画面しか表示されないため、ユーザが所望する画面が表示されないといった問題があった。
【特許文献１】特開平１０−７９８１９号公報
【発明の開示】
【発明が解決しようとする課題】
【０００４】
この発明は上述した問題点を解決するためになされたもので、この発明の目的の１つは、画面の切り換え回数を少なくして、操作性を向上した画像処理装置、画面選択方法および画面選択プログラムを提供することである。
【課題を解決するための手段】
【０００５】
上述した目的を達成するためにこの発明のある局面によれば、画像処理装置は、ユーザによる指示を受け付けるための複数種類のユーザインターフェースと、複数種類のユーザインターフェースのいずれか１つに入力された認証情報を受け付け、認証情報に基づいてユーザを認証する認証手段と、複数種類のユーザインターフェースのいずれか１つに入力された設定に従って複数種類の処理の少なくとも１つを実行する処理実行手段と、処理実行手段により実行される処理が、外部からデータが入力されるデータ入力処理の場合、入力されたデータを認証されたユーザのユーザ識別情報と関連付けた第１関連付データを記憶する第１関連付データ記憶手段と、複数種類のユーザインターフェースそれぞれに、入力されたデータに対して実行する処理を関連付けた第２関連付データを記憶する第２関連付データ記憶手段と、認証手段による認証に応じて、認証されたユーザのユーザ識別情報と第１関連付データによって関連付けられたデータが記憶されている場合、複数種類のユーザインターフェースのうち認証手段による認証に用いられた認証情報が受け付けられたユーザインターフェースと第２関連付データによって関連付けられた処理を処理実行手段に実行させるための設定を受け付けるための画面を決定する決定手段と、を備える。
【０００６】
この局面によれば、外部からデータが入力されるデータ入力処理が実行されると、入力されたデータを認証されたユーザのユーザ識別情報と関連付けた第１関連付データが記憶され、複数種類のユーザインターフェースそれぞれに、データ入力処理が実行されて入力されたデータに対して実行する処理を関連付けた第２関連付データが記憶され、認証に応じて、認証されたユーザのユーザ識別情報と第１関連付データによって関連付けられたデータが記憶されている場合、複数種類のユーザインターフェースのうち認証情報が受け付けられたユーザインターフェースと第２関連付データによって関連付けられた処理を実行させるための設定を受け付けるための画面が決定される。このため、データ入力処理が実行されて入力されるデータに対して、ユーザが使用するユーザインターフェースに適した処理を直ちに実行させることができる。その結果、画面の切り換え回数を少なくして、操作性を向上した画像処理装置を提供することができる。
【０００７】
好ましくは、第２関連付データ記憶手段は、複数の一連の処理を定義するワークフローを記憶するワークフロー記憶手段を含む。
【０００８】
好ましくは、複数種類のユーザインターフェースは、画面を表示する表示手段と、ユーザの操作を受け付けるための操作受付手段とを組み合わせた第１インターフェースと、外部の装置と通信するための通信手段を含む第２インターフェースと、を含む。
【０００９】
この発明の他の局面によれば、画面選択方法は、画像処理装置で実行される画面選択方法であって、画像処理装置は、ユーザによる指示を受け付けるための複数種類のユーザインターフェースを備え、複数種類のユーザインターフェースのいずれか１つに入力された認証情報を受け付け、認証情報に基づいてユーザを認証するステップと、複数種類のユーザインターフェースのいずれか１つに入力された設定に従って複数種類の処理の少なくとも１つを実行するステップと、実行される処理が、外部からデータが入力されるデータ入力処理の場合、入力されたデータを識別するためのデータ識別情報を認証されたユーザのユーザ識別情報と関連付けた第１関連付データを記憶するステップと、複数種類のユーザインターフェースそれぞれに、入力されたデータに対して実行する処理を関連付けた第２関連付データを記憶するステップと、認証するステップにおける認証に応じて、認証されたユーザのユーザ識別情報と第１関連付データによって関連付けられたデータが記憶されている場合、複数種類のユーザインターフェースのうち認証情報が受け付けられたユーザインターフェースと第２関連付データによって関連付けられた処理を実行させるための設定を受け付けるための画面を決定するステップと、を含む。
【００１０】
この局面に従えば、画面の切り換え回数を少なくして、操作性を向上した画面選択方法を提供することができる。
【００１１】
この発明の他の局面によれば、画面選択プログラムは、画像処理装置を制御するコンピュータで実行される画面選択プログラムであって、画像処理装置は、ユーザによる指示を受け付けるための複数種類のユーザインターフェースを備え、複数種類のユーザインターフェースのいずれか１つに入力された認証情報を受け付け、認証情報に基づいてユーザを認証するステップと、複数種類のユーザインターフェースのいずれか１つに入力された設定に従って複数種類の処理の少なくとも１つを実行するステップと、実行される処理が、外部からデータが入力されるデータ入力処理の場合、入力されたデータを識別するためのデータ識別情報を認証されたユーザのユーザ識別情報と関連付けた第１関連付データを記憶するステップと、複数種類のユーザインターフェースそれぞれに、入力されたデータに対して実行する処理を関連付けた第２関連付データを記憶するステップと、認証するステップにおける認証に応じて、認証されたユーザのユーザ識別情報と第１関連付データによって関連付けられたデータが記憶されている場合、複数種類のユーザインターフェースのうち認証情報が受け付けられたユーザインターフェースと第２関連付データによって関連付けられた処理を実行させるための設定を受け付けるための画面を決定するステップと、をコンピュータに実行させる。
【００１２】
この局面に従えば、画面の切り換え回数を少なくして、操作性を向上した画面選択プログラムを提供することができる。
【発明を実施するための最良の形態】
【００１３】
以下、本発明の実施の形態について図面を参照して説明する。以下の説明では同一の部品には同一の符号を付してある。それらの名称および機能も同じである。したがってそれらについての詳細な説明は繰返さない。
【００１４】
図１は、本発明の実施の形態の１つにおける画像処理システムの全体概要を示す図である。図１を参照して、画像処理システム１は、それぞれがネットワーク２に接続されたＭＦＰ（Ｍｕｌｔｉ  Ｆｕｎｃｔｉｏｎ  Ｐｅｒｉｐｈｅｒａｌ）１００と、パーソナルコンピュータ（以下「ＰＣ」という）１０５，１０５Ａ，１０５Ｂと、携帯通信端末２００とを含む。
【００１５】
ネットワーク２は、ローカルエリアネットワーク（ＬＡＮ）であり、接続形態は有線または無線を問わない。またネットワーク２は、ＬＡＮに限らず、公衆交換電話網（Ｐｕｂｌｉｃ  Ｓｗｉｔｃｈｅｄ  Ｔｅｌｅｐｈｏｎｅ  Ｎｅｔｗｏｒｋｓ）を用いたネットワーク等であってもよい。さらに、ネットワーク２は、インターネットまたはワイドエリアネットワーク（ＷＡＮ）に接続されている。
【００１６】
ＭＦＰ１００は、原稿を読取るためのスキャナ装置、画像データに基づいて紙などの記録媒体に画像を形成するための画像形成装置およびファクシミリ装置を含み、画像読取機能、複写機能、ファクシミリ送受信機能を備えている。また、ＭＦＰ１００は、Ｗｅｂサーバとして機能し、遠隔操作が可能となっている。具体的には、ＭＦＰ１００は、ＨＴＭＬ（ＨｙｐｅｒＴｅｘｔ  Ｍａｒｋｕｐ  Ｌａｎｇｕａｇe）またはＸＭＬ（Ｅｘｔｅｎｓｉｂｌｅ  Ｍａｒｋｕｐ  Ｌａｎｇｕａｇｅ）等のマークアップ言語で記述されたＷｅｂページを記憶しており、クライアントとなるＰＣ１０５，１０５Ａ，１０５Ｂまたは携帯通信端末２００からの要求に応じてＷｅｂページを送信する。ＭＦＰ１００が記憶するＷｅｂページは、ＭＦＰ１００を操作するための操作画面である。そして、ユーザが操作画面に入力する設定またはコマンドを受信することにより、遠隔操作を受け付ける。
【００１７】
ＰＣ１０５，１０５Ａ，１０５Ｂは、一般的なコンピュータであり、そのハード構成および機能は周知なのでここでは説明を繰り返さない。ＰＣ１０５，１０５Ａ，１０５Ｂそれぞれは、Ｗｅｂサーバに記憶されたＷｅｂページをダウンロードして表示するブラウジングプログラムがインストールされている。
【００１８】
携帯通信端末２００は、一般的な携帯電話機であり、基地局と無線で通信することにより電話網に接続し、通話が可能である。また、ＭＦＰ１００と無線で通信することが可能である。無線による通信は、赤外線を用いた通信であってもよいし、電磁波を用いた通信であってもよい。このため、携帯通信端末２００は、ＭＦＰ１００と直接通信することが可能であり、さらに、電話網を介して通信することが可能である。さらに、携帯通信端末２００は、Ｗｅｂサーバに記憶されたＷＥｂページをダウンロードして表示するブラウジングプログラムがインストールされている。
【００１９】
ＰＣ１０５，１０５Ａ，１０５Ｂまたは携帯通信端末２００のユーザは、ＰＣ１０５，１０５Ａ，１０５Ｂまたは携帯通信端末２００にブラウジングプログラムを実行させ、Ｗｅｂサーバとして機能するＭＦＰ１００に予め割り当てられたＵＲＬを入力することにより、ＭＦＰ１００から受信される操作画面を閲覧することができる。また、ユーザが、操作画面に従って設定またはコマンドを入力することにより、ブラウジングプログラムを実行するＰＣ１０５，１０５Ａ，１０５Ｂまたは携帯通信端末２００がＭＦＰ１００に設定またはコマンドを送信するので、ＭＦＰ１００を遠隔操作することができる。したがって、ＭＦＰ１００は、ユーザがＭＦＰ１００を直接操作するための第１のユーザインターフェース（以下「第１のユーザＩ／Ｆ」という）と、ユーザがＰＣ１０５，１０５Ａ，１０５Ｂを用いて遠隔操作するための第２のユーザインターフェース（以下「第２のユーザＩ／Ｆ」という）と、ユーザが携帯通信端末２００を用いて遠隔操作するための第３のユーザインターフェース（以下「第３のユーザＩ／Ｆ」という）と、を備える。
【００２０】
なお、本実施の形態においては画像処理装置の一例としてＭＦＰ１００を例に説明するが、ＭＦＰ１００に代えて、複数のユーザインターフェースを備えていれば、たとえば、プリンタ、ファクシミリ装置、コンピュータ等であってもよい。
【００２１】
図２は、ＭＦＰの外観を示す斜視図である。図３は、ＭＦＰの機能の概要を示す機能ブロック図である。図２および図３を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、ユーザインターフェースとしての操作パネル１６０と、無線通信部１７０を含む。
【００２２】
メイン回路１１０は、ＣＰＵ１１１と、通信インターフェース（Ｉ／Ｆ）部１１２と、ＲＯＭ（Ｒｅａｄ  Ｏｎｌｙ  Ｍｅｍｏｒｙ）１１３と、ＲＡＭ（Ｒａｎｄｏｍ  Ａｃｃｅｓｓ  Ｍｅｍｏｒｙ）１１４と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１１５と、大容量記憶装置としてのハードディスクドライブ（ＨＤＤ）１１６と、ファクシミリ部１１７と、フラッシュメモリ１１８Ａが装着されるカードインターフェース（Ｉ／Ｆ）１１８とを含む。ＣＰＵ１１１は、自動原稿搬送装置１２０、原稿読取部１３０、画像形成部１４０、給紙部１５０、操作パネル１６０および無線通信部１７０と接続され、ＭＦＰ１００の全体を制御する。
【００２３】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取データ（画像データ）を一時的に記憶する。
【００２４】
操作パネル１６０は、ＭＦＰ１００の上面に設けられ、表示部１６０Ａと操作部１６０Ｂとを含む。操作パネル１６０は、ユーザが操作をＭＦＰ１００に直接入力するための第１のユーザＩ／Ｆである。表示部１６０Ａは、液晶表示装置（ＬＣＤ）、有機ＥＬＤ（Ｅｌｅｃｔｒｏｌｕｍｉｎｅｓｃｅｎｃｅ  Ｄｉｓｐｌａｙ）等の表示装置であり、ユーザに対する指示メニューや取得した画像データに関する情報等を表示する。操作部１６０Ｂは、複数のキーを備え、キーに対応するユーザの操作による各種の指示、文字、数字などのデータの入力を受付ける。操作部１６０Ｂは、表示部１６０Ａ上に設けられたタッチパネルをさらに含む。
【００２５】
通信Ｉ／Ｆ部１１２は、ＭＦＰ１００をネットワーク２に接続するためのインターフェースである。ＣＰＵ１１１は、通信Ｉ／Ｆ部１１２を介してＰＣ１０５，１０５Ａ，１０５Ｂとの間で通信し、データを送受信する。また、通信Ｉ／Ｆ部１１２は、ネットワーク２を介してインターネットに接続されたコンピュータと通信が可能である。このため、通信Ｉ／Ｆ部１１２を介して携帯通信端末２００との間で通信し、データを送受信する。通信Ｉ／Ｆ部１１２は、ＰＣ１０５，１０５Ａ，１０５Ｂと通信する場合、ＭＦＰ１００がＰＣ１０５，１０５Ａ，１０５Ｂにより遠隔操作される場合における第２のユーザＩ／Ｆの一部となる。また、通信Ｉ／Ｆ部１１２は、携帯通信端末２００と通信する場合、ＭＦＰ１００が携帯通信端末２００により遠隔操作される場合における第３のユーザＩ／Ｆの一部となる。
【００２６】
無線通信部１７０は、赤外線を通信媒体として、携帯通信端末２００と無線通信する。なお、通信媒体に赤外線を用いる例を説明するが、通信媒体はこれに限定されることなく、例えば、電磁波であってもよい。無線通信部１７０は、ＭＦＰ１００が携帯通信端末２００により遠隔操作される場合における第３のユーザＩ／Ｆの一部である。
【００２７】
ファクシミリ部１１７は、公衆交換電話網（ＰＳＴＮ）に接続され、ＰＳＴＮにファクシミリデータを送信する、またはＰＳＴＮからファクシミリデータを受信する。ファクシミリ部１１７は、受信したファクシミリデータを、ＨＤＤ１１６に記憶する、または画像形成部１４０に出力する。画像形成部１４０は、ファクシミリ部１１７により受信されたファクシミリデータを用紙にプリントする。また、ファクシミリ部１１７は、ＨＤＤ１１６に記憶されたデータをファクシミリデータに変換して、ＰＳＴＮに接続されたファクシミリ装置に送信する。
【００２８】
カードＩ／Ｆ１１８は、フラッシュメモリ１１８Ａが装着される。ＣＰＵ１１１は、カードＩ／Ｆ１１８を介してフラッシュメモリ１１８Ａにアクセス可能である。ＣＰＵ１１１は、カードＩ／Ｆ１１８に装着されたフラッシュメモリ１１８Ａに記録された画面選択プログラムをＲＡＭ１１４にロードして実行する。なお、ＣＰＵ１１１が実行するプログラムは、フラッシュメモリ１１８Ａに記録された画面選択プログラムに限られず、ＨＤＤ１１６に記憶された画面選択プログラムをＲＡＭ１１４にロードして実行するようにしてもよい。この場合、ネットワーク２に接続された他のコンピュータが、ＭＦＰ１００のＨＤＤ１１６に記憶された画面選択プログラムを書換える、または、新たな画面選択プログラムを追加して書き込むようにしてもよい。さらに、ＭＦＰ１００が、ネットワーク２に接続された他のコンピュータから画面選択プログラムをダウンロードして、その画面選択プログラムをＨＤＤ１１６に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００２９】
図４は、携帯通信端末の機能の概要を示す機能ブロック図である。図４を参照して、携帯通信端末２００は、携帯通信端末２００の全体を制御するためのＣＰＵ２０１と、赤外線通信部２０２と、データを不揮発的に記憶するフラッシュメモリ２０３と、通話部２０５と接続された無線通信部２０４と、情報を表示する表示部２０６と、ユーザの操作の入力を受付ける操作部２０７とを含む。
【００３０】
無線通信部２０４は、電話通信網に接続された基地局装置と無線通信する。無線通信は、音声を送受信する音声通信と、データを送受信するデータ通信とを含む。無線通信部２０４は、音声通信の場合、携帯通信端末を電話通信網に接続し、通話部２０５を用いた通話を可能とする。無線通信部２０４は、基地局装置から受信した無線信号を復調した音声信号を復号して通話部２０５に出力する。また、無線通信部２０４は、通話部２０５から入力される音声を符号化し、基地局装置に送信する。通話部２０５は、マイクおよびスピーカを備え、無線通信部２０４から入力される音声をスピーカから出力し、マイクから入力される音声を無線通信部２０４に出力する。さらに、無線通信部２０４は、ＣＰＵ２０１により制御され、データ通信の場合、携帯通信端末をインターネットを介してＭＦＰ１００に接続し、ＭＦＰ１００との間でデータを送受信する。
【００３１】
赤外線通信部２０２は、赤外線を通信媒体として、ＭＦＰ１００と無線通信する。なお、通信媒体に赤外線を用いる例を説明するが、ＭＦＰ１００と無線通信が可能であれば、例えば、電磁波であってもよい。赤外線通信部２０２は、ＣＰＵ２０１により制御され、携帯通信端末をＭＦＰ１００に接続し、ＭＦＰ１００との間でデータを送受信する。携帯通信端末２００がＭＦＰ１００と通信する方法が２通りあるが、ＣＰＵ２０１は、赤外線通信部２０２および無線通信部２０４のうちユーザにより指定されたもので通信する。
【００３２】
表示部２０６は、液晶表示装置（ＬＣＤ）、有機ＥＬＤ等の表示装置であり、ユーザに対する指示メニューや取得した画像データに関する情報等を表示する。操作部２０７は、複数のキーを備え、キーに対応するユーザの操作による各種の指示、文字、数字などのデータの入力を受付ける。
【００３３】
図５は、本実施の形態におけるＭＦＰが備えるＣＰＵの機能概要の一例を示す機能ブロック図である。図５を参照して、ＭＦＰ１００が備えるＣＰＵ１１１は、指示を受け付ける指示受付部５１と、指示を入力するユーザを認証する認証部５３と、受け付けられた指示に従って処理を実行する処理実行部５７と、第１関連付データ記憶部５５と、第２関連付データ記憶部６１と、出力する画面を決定する決定部５９と、を含む。
【００３４】
指示受付部５１は、第１、第２および第３のユーザＩ／Ｆのいずれかから指示を受け付ける。ユーザが第１のユーザＩ／Ｆを構成する操作部１６０Ｂに指示を入力する場合、操作部１６０Ｂから指示を受け付ける。この場合、指示受付部５１は、第１のユーザＩ／Ｆから受け付けた指示を、処理実行部５７に出力するとともに、第１のユーザＩ／Ｆから指示が入力されたことを示すために、第１のユーザＩ／Ｆを識別するためのＩ／Ｆ識別情報を決定部５９に出力する。
【００３５】
ユーザがＰＣ１０５，１０５Ａ，１０５Ｂを用いてＭＦＰ１００を遠隔操作する場合、指示受付部５１は、通信Ｉ／Ｆ部１１２から指示を受け付ける。通信Ｉ／Ｆ部１１２は、指示を送信してきた装置を識別するための装置識別情報を受信するので、指示受付部５１は、装置識別情報に基づいて、第２のユーザＩ／Ｆから指示を受け付けたと判断する。指示受付部５１は、第２のユーザＩ／Ｆから受け付けた指示を、処理実行部５７に出力するとともに、第２のユーザＩ／Ｆから指示が入力されたことを示すために、第２のユーザＩ／Ｆを識別するためのＩ／Ｆ識別情報を決定部５９に出力する。
【００３６】
ユーザが携帯通信端末２００を用いて遠隔操作する場合、指示受付部５１は、無線通信部１７０または通信Ｉ／Ｆ部１１２から指示を受け付ける。指示受付部５１は、無線通信部１７０から指示を受け付ける場合、第３のユーザＩ／Ｆから指示を受け付けたと判断する。指示受付部５１は、通信Ｉ／Ｆ部１１２から指示を受け付ける場合、通信Ｉ／Ｆ部１１２は、指示を送信してきた装置を識別するための装置識別情報を受信するので、指示受付部５１は、装置識別情報に基づいて第３のユーザＩ／Ｆから指示を受け付けたと判断する。指示受付部５１は、第３のユーザＩ／Ｆから受け付けた指示を、処理実行部５７に出力するとともに、第３のユーザＩ／Ｆから指示が入力されたことを示すために、第３のユーザＩ／Ｆを識別するためのＩ／Ｆ識別情報を決定部５９に出力する。
【００３７】
指示受付部５１は、指示として認証指示を受け付ける場合、認証指示に含まれる認証情報を認証部５３に出力する。認証情報は、ユーザを識別するためのユーザ識別情報と、パスワードとを含む。なお、ここでは、認証情報にユーザ識別情報とパスワードとを用いるが、パスワードに代えて、指紋、虹彩、声紋、静脈パターン等の生体情報を用いても良い。
【００３８】
認証部５３は、指示受付部５１から入力される認証情報に基づいて指示を入力するユーザ、換言すれば、ＭＦＰ１００を直接操作または遠隔操作するユーザを認証する。具体的には、ＭＦＰ１００の使用を許可するユーザの認証情報をＥＥＰＲＯＭ１１５に予め記憶しておき、指示受付部５１から入力された認証情報に一致する認証情報が予め記憶されているか否かを判断する。指示受付部５１から入力された認証情報と同一の認証情報がＥＥＰＲＯＭ１１５に予め記憶されていれば認証するが、そうでなければ認証しない。認証部５３は、ユーザを認証する場合、認証したユーザのユーザ識別情報を決定部５９に出力する。
【００３９】
認証部５３は、認証する場合は認証したユーザのログインを許可し、その後ログアウト指示が指示受付部５１で受け付けられるまでに指示受付部５１で受け付けられる指示を、認証したユーザにより入力されたものとして取り扱う。なお、所定の時間継続して指示受付部５１において指示が受け付けられない場合は、ログアウトしたものとして取り扱う。
【００４０】
処理実行部５７は、指示受付部５１から入力される指示にしたがって処理を実行する。指示受付部５１から入力される指示は、パラメータ等を含み、その設定を指示する設定指示と、処理の実行を指示するコマンドを含むコマンド指示とを含む。処理実行部５７が実行する処理は、外部から入力されるデータをＨＤＤ１１６に記憶するデータ入力処理と、ＨＤＤ１１６に記憶されているデータに対して画像処理、フォーマット変換等を実行するデータ変換処理と、ＨＤＤ１１６に記憶されているデータを外部に出力するデータ出力処理と、を含む。処理実行部５７は、データ入力処理を実行する場合、ＨＤＤ１１６に記憶されたデータを識別するためのデータ識別情報を第１関連付データ記憶部５５に出力する。
【００４１】
第１関連付データ記憶部５５は、処理実行部５７からデータ識別情報が入力されると、認証部５３により認証されたユーザのユーザ識別情報と、データ識別情報とを含む第１関連付レコードを生成し、ＥＥＰＲＯＭ１１５に記憶されている第１関連付データに追加して記憶する。
【００４２】
図６は、第１関連付レコードのフォーマットの一例を示す図である。図６を参照して、関連付レコードは、データ入力処理の実行を指示したユーザを識別するためのユーザ識別情報が設定されるユーザ識別情報の項目と、データ入力処理が実行されてＨＤＤ１１６に記憶されるデータのデータ識別情報が設定されるデータ識別情報の項目とを含む。ユーザ識別情報の項目は、データ入力処理の実行を指示したユーザを識別するためのユーザ識別情報が設定される。データ識別情報の項目は、データ入力処理が実行されてＨＤＤ１１６に記憶されるデータのデータ識別情報が設定される。第１関連付レコードは、データ入力処理の実行を指示したユーザのユーザ識別情報と、そのデータ入力処理が実行されて記憶されるデータのデータ識別情報とを関連付ける。
【００４３】
なお、処理実行部５７が実行した処理の履歴として記憶される履歴情報が、処理の実行を指示したユーザを特定する情報と、データ入力処理が実行されてＨＤＤ１１６に記憶されたデータを特定する情報とを含んでいれば、履歴情報を第１関連付データとしてもよい。
【００４４】
図５に戻って、第２関連付データ記憶部６１は、ＥＥＰＲＯＭ１１５に第２関連付データを記憶する。第２関連付データは、第１〜第３のユーザＩ／Ｆそれぞれに、データ入力処理が実行されて記憶されたデータに対して実行する処理を関連付ける。ここでは、第２関連付データに、複数の一連の処理を定義するワークフロー定義情報を用いている。第２関連付データ記憶部６１は、ＭＦＰ１００のユーザ、例えば、ＭＦＰ１００の管理者が、操作部１６０Ｂまたは遠隔操作で入力される第２関連付データを受け付け、ＥＥＰＲＯＭ１１５に記憶する。なお、第２関連付データを、ユーザごとに記憶するようにしてもよい。
【００４５】
図７は、ワークフロー定義情報の一例を示す図である。図７を参照して、ワークフロー定義情報は、２つの処理の順番と、処理の種類とを定義する。ここでは、第１番目に実行される処理の種類を、データ入力処理とするワークフロー定義情報を示している。データ入力処理として、認証プリント処理、Ｆａｘ受信処理、Ｂｏｘ保存処理を示している。認証プリント処理は、外部から入力されるパスワード付のプリントデータを一時的にＨＤＤ１１６に記憶し、パスワードが入力されることを条件に記憶されたプリントデータをプリントする処理である。Ｆａｘ受信処理は、ファクシミリ受信されるデータを一時的にＨＤＤ１１６の予め定められた領域に記憶する処理である。Ｂｏｘ保存処理は、原稿読取部１３０が原稿を読み取って出力するデータまたは外部から入力されるデータを、ＨＤＤ１１６の指定された記憶領域（Ｂｏｘ）に記憶する処理である。
【００４６】
３つのデータ入力処理それぞれに対して、２番目の処理の種類が、第１〜第３のユーザＩ／Ｆごとに関連付けられる。第１番目のデータ入力処理「認証プリント」に対して、第１のユーザＩ／Ｆを識別するためのＩ／Ｆ識別情報「操作パネル」にはジョブを実行する処理を識別するための処理識別情報「ジョブ実行」が関連付けられ、第２のユーザＩ／Ｆを識別するためのＩ／Ｆ識別情報「ＰＣブラウザ」には記憶されたデータを取得する処理を識別するための処理識別情報「ジョブ取得」が関連付けられ、第３のユーザＩ／Ｆを識別するためのＩ／Ｆ識別情報「携帯ブラウザ」には記憶されたデータを削除する処理を識別するための処理識別情報「ジョブ削除」が関連付けられる。
【００４７】
第２番目のデータ入力処理「Ｆａｘ受信」に対して、第１のユーザＩ／Ｆを識別するためのＩ／Ｆ識別情報「操作パネル」にはジョブを実行する処理を識別するための処理識別情報「ジョブ実行」が関連付けられ、第２のユーザＩ／Ｆを識別するためのＩ／Ｆ識別情報「ＰＣブラウザ」には記憶されたデータを取得する処理を識別するための処理識別情報「ジョブ取得」が関連付けられ、第３のユーザＩ／Ｆを識別するためのＩ／Ｆ識別情報「携帯ブラウザ」には記憶されたデータを取得する処理を識別するための処理識別情報「ジョブ削除」が関連付けられる。
【００４８】
第３番目のデータ入力処理「Ｂｏｘ保存」に対して、第１のユーザＩ／Ｆを識別するためのＩ／Ｆ識別情報「操作パネル」にはジョブを実行する処理を識別するための処理識別情報「ジョブ実行」が関連付けられ、第２のユーザＩ／Ｆを識別するためのＩ／Ｆ識別情報「ＰＣブラウザ」には記憶されたデータを取得する処理を識別するための処理識別情報「ジョブ取得」が関連付けられ、第３のユーザＩ／Ｆを識別するためのＩ／Ｆ識別情報「携帯ブラウザ」には記憶されたデータを取得する処理を識別するための処理識別情報「ジョブ削除」が関連付けられる。
【００４９】
図５に戻って、決定部５９は、認証部５３により認証されると、認証されたユーザのユーザ識別情報と第１関連付データ７１によって関連付けられたデータがＨＤＤ１１６に記憶されている場合、第１〜第３のユーザＩ／Ｆのうち認証情報が受け付けられたものと第２関連付データによって関連付けられた処理を処理実行部５７に実行させるための設定を受け付けるための画面を決定する。具体的には、決定部５９は、認証部５３からユーザ識別情報が入力されると、ＥＥＰＲＯＭ１１５に記憶されている第１関連付データ７１から、認証部５３から入力されたユーザ識別情報を含む第１関連付レコードを抽出する。複数の第１関連付レコードが抽出されたならば、最も新しいものを１つ選択するようにしてもよいし、複数のうちからユーザが選択するようにしてもよい。ここでは、最も新しい第１関連付レコードを選択する場合を例に説明する。第１関連付レコードが抽出されない場合、決定部５９は、指示受付部５１にメニュー画面を出力する指示を出力する。指示受付部５１は、決定部５９から入力されるメニュー画面を、第１〜第３のユーザＩ／Ｆのうち認証情報を受け付けたものを介して出力する。
【００５０】
また、決定部５９が抽出の対象とする第１関連付レコードは、データ識別情報で特定されるデータに対する処理が未だ実行されていないものとするのが好ましい。データ入力処理が実行された後に、処理されていないデータを処理対象とすることができる。このため、一連の処理が必要なデータのみを抽出することができる。たとえば、ＨＤＤ１１６に記憶されているデータのうち１度でも処理が実行されたデータのデータ識別情報を含む第１関連付レコードを第１関連付データ７１から削除するようにすればよい。
【００５１】
決定部５９は、抽出した第１関連付レコードのデータ識別情報で特定されるデータが記憶されている領域から、そのデータが記憶される際に実行されたデータ入力処理を特定する。なお、第１関連付レコードに、データ入力処理を識別するための処理識別情報を設定する項目を含めるようにし、第１関連付レコードからデータ入力処理を特定することができるようにしてもよい。
【００５２】
一方、決定部５９は、指示受付部５１から第１〜第３のユーザＩ／Ｆのうち認証情報が受け付けられたものを識別するためのＩ／Ｆ識別情報が入力される。決定部５９は、第２関連付データ７５を参照し、指示受付部５１から入力されるＩ／Ｆ識別情報に対応して、第１関連付データを参照することにより特定したデータ入力処理に関連付けられている処理を特定する。そして、その処理を処理実行部５７に実行させるための設定を受け付けるための画面を、ＥＥＰＲＯＭ１１５に記憶されている画面７３のうちから決定する。決定部５９は、指示受付部５１に決定した画面を出力する指示を出力する。指示受付部５１は、決定部５９から入力される画面を、第１〜第３のユーザＩ／Ｆのうち認証情報を受け付けたものを介して出力する。
【００５３】
したがって、第１〜第３のユーザＩ／Ｆのうちのいづれかを用いてユーザがデータ入力処理を実行させたのち、第１〜第３のユーザＩ／ＦのうちのいずれかのユーザＩ／Ｆを用いてＭＦＰ１００にログインしてＭＦＰ１００で認証されると、そのユーザＩ／Ｆに対応して第２関連付データ（ワークフロー）で予め定義された処理を実行させるための画面が表示される。このため、ユーザは、画面を切り換える必要がなく、操作が容易となる。
【００５４】
図８は、画面選択処理の流れの一例を示すフローチャートである。画面選択処理は、ＣＰＵ１１１が画面選択プログラムを実行することにより、ＣＰＵ１１１により実行される処理である。図８を参照して、ＣＰＵ１１１は、ログイン指示を受け付けたか否かを判断する（ステップＳ０１）。ログイン指示を受け付けるまで待機状態となり（ステップＳ０１でＮＯ）、ログイン指示を受け付けると（ステップＳ０１でＹＥＳ）、処理をステップＳ０２に進める。ログイン指示は、ログイン画面の要求である。
【００５５】
ステップＳ０２においては、ログイン指示を受け付けたユーザＩ／Ｆを検出する。操作部１６０Ｂがログイン指示を受け付けたならば、第１のユーザＩ／Ｆを検出し、通信Ｉ／Ｆ部１１２がＰＣ１０５，１０５Ａ，１０５Ｂよりログイン指示を受け付けたならば、第２のユーザＩ／Ｆを検出し、通信Ｉ／Ｆ部１１２が携帯電話機２００よりログイン指示を受け付けたならば、第３のユーザＩ／Ｆを検出し、無線通信部１７０が携帯電話機２００よりログイン指示を受け付けたならば第３のユーザＩ／Ｆを検出する。
【００５６】
ステップＳ０３においては、認証情報を受け付け、認証する。受け付けられた認証情報が予め記憶されていれば認証し、そうでなければ認証しない。認証するならば処理をステップＳ０４に進め、認証しなければ処理を終了する。ステップＳ０４においては、ステップＳ０３において認証されたユーザのユーザ識別情報を含む第１関連付レコードが第１関連付データに含まれるか否かを判断する。第１関連付レコードが第１関連付データ７１に含まれるならば処理をステップＳ０５に進め、そうでなければ処理をステップＳ１０に進める。第１関連付レコードは、後述するステップＳ１５において第１関連付データ７１に追加して記憶される。
【００５７】
ステップＳ１０においては、処理選択指示を受け付ける。ステップＳ０２において検出されたユーザＩ／Ｆに入力される処理を選択する指示を受け付ける。受け付けられた処理選択指示で特定される処理を実行するために設定を入力する設定画面を、ステップＳ０２において検出されたユーザＩ／Ｆに出力する（ステップＳ１１）。ステップＳ０２において第１のユーザＩ／Ｆが検出されたならば、表示部１６０Ａに設定画面を表示する。ステップＳ０２において第２のユーザＩ／Ｆが検出されたならば、通信Ｉ／Ｆ部１１２を介して設定画面をＰＣ１０５，１０５Ａ，１０５Ｂのうち処理選択指示を送信してきたものに送信する。ステップＳ０２において第３のユーザＩ／Ｆが検出されたならば、通信Ｉ／Ｆ部１１２または無線通信部１７０のうち処理選択が受信されたものを介して設定画面を携帯電話機２００に送信する。
【００５８】
そして、設定を受け付けるまで待機状態となり（ステップＳ１２でＮＯ）、設定を受け付けると処理をステップＳ１３に進める。ステップＳ１３においては、受け付けられた設定にしたがって処理を実行する。そして、ステップＳ１３において実行された処理が、データ入力処理か否かを判断する（ステップＳ１４）。データ入力処理ならば処理をステップＳ１５に進めるが、そうでなければステップＳ１５をスキップして処理を終了する。ステップＳ１５においては、第１関連付レコードを生成し、ＥＥＰＲＯＭ１１３に記憶されている第１関連付データ７１に追加して記憶する。具体的には、ステップＳ０３において認証されたユーザのユーザ識別情報と、ステップＳ１３においてデータ入力処理が実行されてＨＤＤ１１６に記憶されたデータのデータ識別情報とを含む第１関連付レコードを生成し、記憶する。
【００５９】
一方、ステップＳ０５においては、第２関連付データを参照して処理を特定する。具体的には、まず、ステップＳ０４において抽出された第１関連付レコードに含まれるデータ識別情報で特定されるデータが記憶されているＨＤＤ１１６の領域からデータ入力処理を特定する。そして、ＥＥＰＲＯＭ１１５に記憶されている第２関連付データ７５を参照して、特定されたデータ入力処理の処理識別情報と関連付けられている処理識別情報のうちステップＳ０２において検出されたユーザＩ／Ｆに対応する処理識別情報を決定する。
【００６０】
処理識別情報が「認証プリント」のデータ入力処理が特定される場合、第１のユーザＩ／Ｆが検出されるならば処理識別情報「ジョブ実行」が決定され、第２のユーザＩ／Ｆが検出されるならば処理識別情報「ジョブ取得」が決定され、第３のユーザＩ／Ｆが検出されるならば処理識別情報「ジョブ削除」が決定される。処理識別情報が「Ｆａｘ受信」のデータ入力処理が特定される場合、第１のユーザＩ／Ｆが検出されるならば処理識別情報「ジョブ実行」が決定され、第２のユーザＩ／Ｆが検出されるならば処理識別情報「ジョブ取得」が決定され、第３のユーザＩ／Ｆが検出されるならば処理識別情報「ジョブ削除」が決定される。処理識別情報が「Ｂｏｘ保存」のデータ入力処理が特定される場合、第１のユーザＩ／Ｆが検出されるならば処理識別情報「ジョブ実行」が決定され、第２のユーザＩ／Ｆが検出されるならば処理識別情報「ジョブ取得」が決定され、第３のユーザＩ／Ｆが検出されるならば処理識別情報「ジョブ削除」が決定される。
【００６１】
次のステップＳ０６においては、ＥＥＰＲＯＭ１１５に記憶されている画面７３のうちからステップＳ０５において決定された処理識別情報の処理に対応する設定画面を決定する。ここで決定される設定画面は、ステップＳ０２において検出されたユーザＩ／Ｆに対応する設定画面である。
【００６２】
ステップＳ０７においては、ステップＳ０６において決定された設定画面を、ステップＳ０２において検出されたユーザＩ／Ｆに出力する。ステップＳ０２において第１のユーザＩ／Ｆが検出されたならば、表示部１６０Ａに設定画面を表示する。ステップＳ０２において第２のユーザＩ／Ｆが検出されたならば、通信Ｉ／Ｆ部１１２を介して設定画面をＰＣ１０５，１０５Ａ，１０５Ｂのうち認証情報を送信してきたものに送信する。ステップＳ０２において第３のユーザＩ／Ｆが検出されたならば、通信Ｉ／Ｆ部１１２または無線通信部１７０のうち認証情報が受信されたものを介して設定画面を携帯電話機２００に送信する。
【００６３】
そして、設定を受け付けるまで待機状態となり（ステップＳ０８でＮＯ）、設定を受け付けると処理をステップＳ０９に進める。ステップＳ０９においては、受け付けられた設定にしたがって処理を実行し、処理を終了する。
【００６４】
図９〜図１７は、設定画面の一例を示す図である。図９〜図１１は、処理識別情報が「認証プリント」のデータ入力処理が特定される場合において、決定される設定画面の一例を示す図であり、図９は第１のユーザＩ／Ｆが、図１０は第２のユーザＩ／Ｆが、図１１は第３のユーザＩ／Ｆがそれぞれ検出された場合に決定される設定画面の一例を示す図である。図１０を参照して、データ入力処理が認証プリントの場合における第２のユーザＩ／Ｆに対応して、処理識別情報「ジョブ取得処理」が決定されるが、この場合におけるジョブ取得処理に対応する設定画面は、認証プリントジョブを含むジョブのダウンロードを指示するためのジョブ管理画面である。
【００６５】
図１２〜図１４は、処理識別情報が「Ｆａｘ受信」のデータ入力処理が特定される場合において、決定される設定画面の一例を示す図であり、図１２は第１のユーザＩ／Ｆが、図１３は第２のユーザＩ／Ｆが、図１４は第３のユーザＩ／Ｆがそれぞれ検出された場合に決定される設定画面の一例を示す図である。図１３を参照して、データ入力処理がＦａｘ受信の場合における第２のユーザＩ／Ｆに対応して、処理識別情報「ジョブ取得処理」が決定されるが、この場合におけるジョブ取得処理に対応する設定画面は、ＨＤＤ１１６の記憶領域のうちログインユーザにＦａｘ受信処理のために割り当てられた領域（親展ボックス）に記憶されたデータのダウンロードを指示するための画面である。
【００６６】
図１５〜図１７は、処理識別情報が「Ｂｏｘ保存」のデータ入力処理が特定される場合において決定される設定画面の一例を示す図であり、図１５は第１のユーザＩ／Ｆが、図１６は第２のユーザＩ／Ｆが、図１７は第３のユーザＩ／Ｆがそれぞれ検出された場合に決定される設定画面の一例を示す図である。図１６を参照して、データ入力処理がＦａｘ受信の場合における第２のユーザＩ／Ｆに対応して、処理識別情報「ジョブ取得処理」が決定されるが、この場合におけるジョブ取得処理に対応する設定画面は、ＨＤＤ１１６に記憶されたデータをダウンロードする指示を入力するための文書ダウンロード画面である。
【００６７】
以上説明したように本実施の形態における画像処理システムにおいて、画像処理装置としてのＭＦＰ１００は、第１〜第３のユーザＩ／Ｆと、第１〜第３のユーザＩ／Ｆのいずれか１つに入力された認証情報を受け付け、認証情報に基づいてユーザを認証する認証部５３と、第１〜第３のユーザＩ／Ｆのいずれか１つに入力された設定に従って複数種類の処理の少なくとも１つを実行する処理実行部５７と、処理実行部５７により実行される処理が、外部からデータが入力されるデータ入力処理の場合、入力されたデータを認証されたユーザのユーザ識別情報と関連付けた第１関連付データを記憶する第１関連付データ記憶部５６と、第１〜第３のユーザＩ／Ｆそれぞれに、入力されたデータに対して実行する処理を関連付けた第２関連付データ（ワークフロー）を記憶する第２関連付データ記憶部６１と、認証部５３による認証に応じて、認証されたユーザのユーザ識別情報と第１関連付データによって関連付けられたデータが記憶されている場合、第１〜第３のユーザＩ／Ｆのうち認証部５３による認証に用いられた認証情報が受け付けられたユーザインターフェースと第２関連付データによって関連付けられた処理を処理実行部５７に実行させるための設定を受け付けるための画面を決定する決定部５９と、を備える。
【００６８】
このため、外部からデータが入力されるデータ入力処理が実行されると、入力されたデータを認証されたユーザのユーザ識別情報と関連付けた第１関連付データを記憶し、第１〜第３のユーザＩ／Ｆそれぞれに、データ入力処理が実行されて入力されたデータに対して実行する処理を関連付けた第２関連付データ（ワークフロー）を記憶する。そして、ユーザが認証されることに応じて、認証されたユーザのユーザ識別情報と第１関連付データによって関連付けられたデータが記憶されている場合、第１〜第３のユーザＩ／Ｆのうちユーザが認証情報を入力したユーザインターフェースと第２関連付データ（ワークフロー）によって関連付けられた処理を実行させるための設定を受け付けるための画面が決定される。このため、データ入力処理が実行されて入力されるデータに対して、ユーザが使用するユーザインターフェースに適した処理を直ちに実行させることができる。その結果、画面の切り換え回数を少なくすることができる。
【００６９】
なお、上述した実施の形態においては、画像処理システム１について説明したが、図８に示した処理を実行するための画面選択方法、その画面選択方法をコンピュータに実行させるための画面選択プログラムとして発明を捉えることができるのは言うまでもない。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７１】
【図１】本発明の実施の形態の１つにおける画像処理システムの全体概要を示す図である。
【図２】ＭＦＰの外観を示す斜視図である。
【図３】ＭＦＰの機能の概要を示す機能ブロック図である。
【図４】携帯通信端末の機能の概要を示す機能ブロック図である。
【図５】本実施の形態におけるＭＦＰが備えるＣＰＵの機能概要の一例を示す機能ブロック図である。
【図６】第１関連付レコードのフォーマットの一例を示す図である。
【図７】ワークフロー定義情報の一例を示す図である。
【図８】画面選択処理の流れの一例を示すフローチャートである。
【図９】設定画面の一例を示す第１図である。
【図１０】設定画面の一例を示す第２図である。
【図１１】設定画面の一例を示す第３図である。
【図１２】設定画面の一例を示す第４図である。
【図１３】設定画面の一例を示す第５図である。
【図１４】設定画面の一例を示す第６図である。
【図１５】設定画面の一例を示す第７図である。
【図１６】設定画面の一例を示す第８図である。
【図１７】設定画面の一例を示す第９図である。
【符号の説明】
【００７２】
１  画像処理システム、２  ネットワーク、５１  指示受付部、５３  認証部、５５  第１関連付データ記憶部、５７  処理実行部、５９  決定部、６１  第２関連付データ記憶部、１０５，１０５Ａ，１０５Ｂ  ＰＣ、１１０  メイン回路、１１１  ＣＰＵ、１１２  通信Ｉ／Ｆ部、１１３  ＲＯＭ、１１４  ＲＡＭ、１１５  ＥＥＰＲＯＭ、１１６  ＨＤＤ、１１７  ファクシミリ部、１１８  カードＩ／Ｆ、１１８Ａ  フラッシュメモリ、１２０  自動原稿搬送装置、１３０  原稿読取部、１４０  画像形成部、１５０  給紙部、１６０  操作パネル、１６０Ａ  表示部、１６０Ｂ  操作部、１７０  無線通信部、２００  携帯通信端末、２０１  ＣＰＵ、２０２  赤外線通信部、２０３  フラッシュメモリ、２０４  無線通信部、２０５  通話部、２０６  表示部、２０７  操作部。
【図１】
2010068242.tif 000003
【図２】
2010068242.tif 000004
【図３】
2010068242.tif 000005
【図４】
2010068242.tif 000006
【図５】
2010068242.tif 000007
【図６】
2010068242.tif 000008
【図７】
2010068242.tif 000009
【図８】
2010068242.tif 000010
【図９】
2010068242.tif 000011
【図１０】
2010068242.tif 000012
【図１１】
2010068242.tif 000013
【図１２】
2010068242.tif 000014
【図１３】
2010068242.tif 000015
【図１４】
2010068242.tif 000016
【図１５】
2010068242.tif 000017
【図１６】
2010068242.tif 000018
【図１７】
2010068242.tif 000019